(57)【要約】      （修正有）【課題】専用アプリのインストールが不要で、個人情報の保護が可能で、国内外のNFC決済端末の規格の違いによる弊害を解消可能な情報処理方法を提供する。【解決手段】情報処理方法は、店舗において商品を購入し又は役務の提供を受ける際に、二次元コードと携帯端末を利用して代金の支払いを実行するための方法であって、二次元コードを携帯端末が読み取るステップと、二次元コード含まれるＵＲＬ情報に基づいて決済仲介サーバーにアクセスするステップと、決済仲介用情報を受信するステップと、決済仲介用情報を表示するステップと、支払い手段の選択を受け付けるステップと、ユーザを識別するための識別情報を送信するステップと、選択された支払い手段による支払いを指示するステップと、識別情報によって識別される個人又は法人を支払い名義とする決済処理をリクエストするステップと、決済を実行するステップを含む。【選択図】図３
2019215687.tif 000002
【特許請求の範囲】
【請求項１】
店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d)  決済仲介サーバーから受信した前記決済仲介用情報には、携帯端末のユーザが選択可能な支払い手段が少なくとも一つ含まれており、携帯端末がウェブブラウザ上に前記決済仲介用情報を表示するステップと、
(e)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【請求項２】
前記店舗には、例えば、
店員がいる実店舗、
店員が不在の実店舗、
企業や個人宅に仮設された仮店舗（置き菓子や置きクスリなどを揃えた出張店舗）
が含まれる。
【請求項３】
前記携帯端末（携帯型情報端末）は、
例えば、スマートフォン、タブレット端末、または携帯電話からなる。
【請求項４】
前記携帯端末は、主として、
インターネットにアクセス可能な通信部と、
二次元コードを読み取る際に利用するカメラと、
前記ウェブブラウザ等のソフトウェアを格納するストレージと、
ウェブページ等の各種情報を表示するための表示部（画面）と、
を具備する。
【請求項５】
前記ウェブブラウザは、前記携帯端末が工場出荷時の状態で具備しているソフトウェアであり、
前記カメラは、前記携帯端末が工場出荷時の状態で具備している機能であり、
前記カメラを利用して二次元コードを読み取る機能は、前記携帯端末が工場出荷時の状態で具備している機能である。
すなわち、携帯端末は、本発明を実施するのに必要な機能を、（専用のアプリ等をインストールすることなく）工場出荷時の状態で初めから備えている。
ただし、ウェブブラウザは新たに携帯端末にインストールしたものを使ってもよい。
【請求項６】
決済仲介サーバー（第１のサーバー）は、決済仲介業者が運営するサーバーであり、
決済代行サーバー（第２のサーバー）は、決済代行業者が運営するサーバーであり、
決済サーバー（第３のサーバー）は、決済業者が運営するサーバーである。
【請求項７】
「決済仲介業者」とは、データの形式を変換する事などにより、決済代行業者と加盟店の間のデータのやりとりを仲介し、利用者が決済サービスを円滑に使用できるようにするための媒介機能、操作手順、インタフェイスの提供を担う業者である。ただし、決済仲介業者の契約内容が統一されているわけではないため、あくまで一つの事例としての説明となる。
「決済代行業者」とは、下記の加盟店業務を代理する権利を決済業者から与えられている加盟店の代理業者である。ただし、決済代行業者の契約内容が統一されているわけではないため、あくまで一つの事例としての説明となる。 (1) 信用販売の申込み受付け (2) 加盟店に関する届け出 (3) 加盟店の申請 (4) 売上承認の取得(5) 売上請求に関する事項 (6) その他、決済代行事業者および加盟店が合意し、決済会社が承認した業務。
「決済業者」とは、与信処理を行って利用者のカード利用可能枠を確保、その後売上確定処理をすることで決済を完了させ、販売代金の請求および支払いを担う業者である。ただし、決済業者の契約内容が統一されているわけではないため、あくまで一つの事例としての説明となる。
【請求項８】
携帯端末が二次元コードの読み取りを完了すると、該携帯端末は、前記ステップ(b),(c),(d)の一連の処理を自動的に実行する。
【請求項９】
前記二次元コードに含まれるＵＲＬ情報は、
商品又は役務を提供する事業者ごとに割り当てられたユニークＵＲＬ、または
商品又は役務を提供する店舗ごとに割り当てられたユニークＵＲＬ、または
店舗で提供する商品ごとに割り当てられたユニークＵＲＬ、または
店舗で提供する役務ごとに割り当てられたユニークＵＲＬ、または
で構成されている。
【請求項１０】
前記ステップ(d)において、
決済仲介サーバーから受信した前記決済仲介用情報には、携帯端末のユーザが選択可能な支払い手段が複数含まれており、携帯端末がウェブブラウザ上に前記決済仲介用情報を表示する。
【請求項１１】
選択可能な複数の支払い手段には、例えば、
Apple Pay、Google Pay、Alipay、銀行口座引き落とし、などが含まれる。
【請求項１２】
前記ステップ(d)において、
携帯端末が、ウェブブラウザ上に、支払い手段を選択可能に表示する。
【請求項１３】
前記ステップ(c)において、携帯端末が決済仲介サーバーから受信する決済仲介用情報には、少なくとも、
・商品または役務に関する説明、
・ユーザが選択可能な少なくとも１つの支払手段
が含まれる。
【請求項１４】
前記ステップ(c)において、携帯端末が決済仲介サーバーから受信する決済仲介用情報には、少なくとも、
・商品または役務に関する説明、
・ユーザが選択可能な少なくとも１つの支払手段、
・支払い金額
が含まれる。
【請求項１５】
前記ステップ(c)において、携帯端末が決済仲介サーバーから受信する決済仲介用情報には、少なくとも、
・商品または役務に関する説明、
・ユーザが選択可能な少なくとも１つの支払手段、
・ユーザが金額を入力可能な金額入力欄（金額入力用ボックス）
が含まれる。
【請求項１６】
店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d1)  決済仲介サーバーから受信した前記決済仲介用情報に基づいて、携帯端末がウェブブラウザ上に、前記商品又は前記役務の対価として支払う金額を入力可能な金額入力欄（金額入力用ボックス）を表示するステップと、
(d2)  決済仲介サーバーから受信した前記決済仲介用情報に基づいて、携帯端末がウェブブラウザ上に、携帯端末のユーザが選択可能な少なくとも一つの支払い手段を表示するステップと、
(e1)  携帯端末が、ユーザによる金額入力欄への金額の入力を受け付けるステップと、
(e2)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による入力額の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【請求項１７】
店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d1)  決済仲介サーバーから受信した前記決済仲介用情報に基づいて、携帯端末がウェブブラウザ上に、前記商品又は前記役務の対価として支払う金額を入力可能な金額入力欄（金額入力用ボックス）を表示するステップと、
(d2)  決済仲介サーバーから受信した前記決済仲介用情報に基づいて、携帯端末がウェブブラウザ上に、携帯端末のユーザが選択可能な少なくとも一つの支払い手段を表示するステップと、
(e1)  携帯端末が、ユーザによる金額入力欄への金額の入力を受け付けるステップと、
(e2)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による入力額の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【請求項１８】
前記ステップ(c)において、携帯端末が決済仲介サーバーから受信する決済仲介用情報には、携帯端末のユーザが選択可能な支払い手段を表示させるための基準金額情報（仮の金額）が含まれている。
前記ステップ(d2)において、前記基準金額情報（仮の金額）に基づいて、携帯端末のユーザが選択可能な少なくとも一つの支払い手段（基準金額情報に対応した支払い手段）を表示する。
【請求項１９】
前記基準金額情報（仮の金額）は、携帯端末には表示されない。
【請求項２０】
前記基準金額情報（仮の金額）を携帯端末に表示するとともに、
表示された前記基準金額情報（仮の金額）の変更を促すメッセージを表示する。
【請求項２１】
前記ステップ(e1)において、ユーザによる金額入力欄への支払金額の入力を受け付けると、
前記ステップ(d2)において表示した支払い手段の変わりに、
前記入力された支払金額に基づいて、携帯端末のユーザが選択可能な少なくとも一つの支払い手段（入力された支払金額に対応した専用の支払い手段）をあらたに表示する。
【請求項２２】
店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d)  決済仲介サーバーから受信した前記決済仲介用情報に基づいて、携帯端末がウェブブラウザ上に、前記商品又は前記役務の対価として支払う金額を入力可能な金額入力欄（金額入力用ボックス）と、携帯端末のユーザが選択可能な少なくとも一つの支払い手段を表示するステップと、
(e1)  携帯端末が、ユーザによる金額入力欄への金額の入力を受け付けるステップと、
(e2)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による入力額の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【請求項２３】
前記ステップ(d)において、
携帯端末がウェブブラウザ上に表示する
金額入力欄（金額入力用ボックス）と、
少なくとも一つの支払い手段は、
画面を遷移させることなく、同一のページ内にすべて表示される。
【請求項２４】
前記ステップ(d)において、
携帯端末がウェブブラウザ上に表示する
金額入力欄（金額入力用ボックス）と、
少なくとも一つの支払い手段は、
同一の画面、または、同一のウェブページ内に、または、同一のＵＲＬのウェブページ内にすべて表示される。
【請求項２５】
店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d1)  決済仲介サーバーから受信した前記決済仲介用情報に基づいて、携帯端末がウェブブラウザ上に、前記商品又は前記役務の対価として支払う金額を表示するステップと、
(d2)  決済仲介サーバーから受信した前記決済仲介用情報に基づいて、携帯端末がウェブブラウザ上に、携帯端末のユーザが選択可能な少なくとも一つの支払い手段を表示するステップと、
(e)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による代金の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【請求項２６】
店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d)  決済仲介サーバーから受信した前記決済仲介用情報に基づいて、携帯端末がウェブブラウザ上に、前記商品又は前記役務の対価として支払う金額と、携帯端末のユーザが選択可能な少なくとも一つの支払い手段を表示するステップと、
(e)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による代金の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【請求項２７】
前記ステップ(d)において、
携帯端末がウェブブラウザ上に表示する
支払う金額と、
少なくとも一つの支払い手段は、
画面を遷移させることなく、同一のページ内にすべて表示される。
【請求項２８】
前記ステップ(d)において、
携帯端末がウェブブラウザ上に表示する
支払う金額と、
少なくとも一つの支払い手段は、
同一の画面、または、同一のウェブページ内に、または、同一のＵＲＬのウェブページ内にすべて表示される。
【発明の詳細な説明】
【技術分野】
【０００１】
本発明は、商品を購入し又は役務の提供を受ける際に、二次元コードと携帯端末を利用して代金の支払いを実行するための情報処理方法（決済方法）に関するものである。
【背景技術】
【０００２】
スマートフォンを利用した決済方法が種々提案されているが、これまで提案されてきた決済方法には次のような問題があった。
【０００３】
・専用アプリのインストールが面倒。
・専用アプリの設定に個人情報の入力が必要であるが、その個人情報が洩れて悪用される危険性がある。
・店舗等に個人情報が洩れて悪用される危険性がある。
・国内外のNFC決済端末の規格の違いによる弊害がある。
【発明の概要】
【発明が解決しようとする課題】
【０００４】
そこで上述した従来技術の問題点に鑑み、この出願の発明の目的は、
・専用アプリのインストールが不要で、
・個人情報の保護が可能で、
・国内外のNFC決済端末の規格の違いによる弊害を解消可能な
新たな情報処理方法（決済方法）を提供することにある。
【課題を解決するための手段】
【０００５】
上記目的は、特許請求の範囲に記載の情報処理方法によって達成される。
【発明の効果】
【０００６】
・専用アプリのインストールが不要。
・複数の支払先を選べる。
・個人情報の保護（店舗及び、決済仲介会社が個人情報を保有しない）。
・国内外のNFC決済端末の規格の違いによる弊害を解消する。
・画面の遷移による機会損失（離脱）を防ぐことができる。
【０００７】
具体的には以下のとおりである。
【０００８】
携帯端末を利用して支払を実行するにあたって、該携帯端末は、二次元コードを読み取るカメラと、ウェブブラウザと、インターネットにアクセス可能な通信機能を備えていれば足りる。これらの機能は、携帯端末が工場出荷時の状態で具備している。したがって、専用アプリのインストールが不要である。なお、ウェブブラウザは、携帯端末に新たにインストールしたものを使うこともできる。
【０００９】
例えば Apple Pay や Google Pay などの複数の支払い手段（支払先）が用意されているので、利用者は、複数の支払い手段のなかから適切なものを選ぶことができる。
【００１０】
携帯端末を利用した支払いにおいて、店舗や決済仲介会社（決済仲介サーバーの運営者）に、住所、氏名、電話番号、クレジットカード番号などの個人情報を開示する必要がない。したがって、個人情報を保護することができる。
【００１１】
携帯端末を利用した支払いにおいて、ＮＦＣなどの近距離無線通信を一切利用しない。したがって、国内外のＮＦＣ決済端末の規格の違いによる弊害を解消することが可能である。
【００１２】
携帯端末がウェブブラウザ上に表示する金額入力欄（または支払い額）と支払い手段は、同一の画面、または、同一のウェブページ内に、または、同一のＵＲＬのウェブページ内にすべて表示されるので、画面の遷移による機会損失（離脱）を防ぐことができる。
【図面の簡単な説明】
【００１３】
【図１】本発明の実施形態（第１の実施形態）の概要を示す図である。
【図２】本発明の実施形態（第１の実施形態）における携帯端末の画面遷移を示す図である。
【図３】本発明の実施形態（第１の実施形態）における情報処理の流れを示すフローチャートである。
【図４】本発明の実施形態（第２の実施形態）の概要を示す図である。
【図５】本発明の実施形態（第２の実施形態）における携帯端末の画面遷移を示す図である。
【図６】本発明の実施形態（第２の実施形態）における情報処理の流れを示すフローチャートである。
【図７】支払い手段の一例であるApple Pay の仕組み（Apple Payでバーチャルカードが発行される仕組み）の概要を示す図である。
【発明を実施するための形態】
【００１４】
本発明の情報処理方法は、次の［１］〜［２８］に記載の特徴を有している。
【００１５】
［１］  店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d)  決済仲介サーバーから受信した前記決済仲介用情報には、携帯端末のユーザが選択可能な支払い手段が少なくとも一つ含まれており、携帯端末がウェブブラウザ上に前記決済仲介用情報を表示するステップと、
(e)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【００１６】
［２］  前記店舗には、例えば、
店員がいる実店舗、
店員が不在の実店舗、
企業や個人宅に仮設された仮店舗（置き菓子や置きクスリなどを揃えた出張店舗）
が含まれる。
【００１７】
［３］  前記携帯端末（携帯型情報端末）は、
例えば、スマートフォン、タブレット端末、または携帯電話からなる。
【００１８】
［４］  前記携帯端末は、主として、
インターネットにアクセス可能な通信部と、
二次元コードを読み取る際に利用するカメラと、
前記ウェブブラウザ等のソフトウェアを格納するストレージと、
ウェブページ等の各種情報を表示するための表示部（画面）と、
を具備する。
【００１９】
［５］  前記ウェブブラウザは、前記携帯端末が工場出荷時の状態で具備しているソフトウェアであり、
前記カメラは、前記携帯端末が工場出荷時の状態で具備している機能であり、
前記カメラを利用して二次元コードを読み取る機能は、前記携帯端末が工場出荷時の状態で具備している機能である。
すなわち、携帯端末は、本発明を実施するのに必要な機能を、（専用のアプリ等をインストールすることなく）工場出荷時の状態で初めから備えている。
ただし、ウェブブラウザは新たに携帯端末にインストールしたものを使ってもよい。
【００２０】
［６］  決済仲介サーバー（第１のサーバー）は、決済仲介業者が運営するサーバーであり、
決済代行サーバー（第２のサーバー）は、決済代行業者が運営するサーバーであり、
決済サーバー（第３のサーバー）は、決済業者が運営するサーバーである。
【００２１】
［７］  「決済仲介業者」とは、データの形式を変換する事などにより、決済代行業者と加盟店の間のデータのやりとりを仲介し、利用者が決済サービスを円滑に使用できるようにするための媒介機能、操作手順、インタフェイスの提供を担う業者である。ただし、決済仲介業者の契約内容が統一されているわけではないため、あくまで一つの事例としての説明となる。
「決済代行業者」とは、下記の加盟店業務を代理する権利を決済業者から与えられている加盟店の代理業者である。ただし、決済代行業者の契約内容が統一されているわけではないため、あくまで一つの事例としての説明となる。 (1) 信用販売の申込み受付け (2) 加盟店に関する届け出 (3) 加盟店の申請 (4) 売上承認の取得(5) 売上請求に関する事項 (6) その他、決済代行事業者および加盟店が合意し、決済会社が承認した業務。
「決済業者」とは、与信処理を行って利用者のカード利用可能枠を確保、その後売上確定処理をすることで決済を完了させ、販売代金の請求および支払いを担う業者である。ただし、決済業者の契約内容が統一されているわけではないため、あくまで一つの事例としての説明となる。
【００２２】
［８］  携帯端末が二次元コードの読み取りを完了すると、該携帯端末は、前記ステップ(b),(c),(d)の一連の処理を自動的に実行する。
【００２３】
［９］  前記二次元コードに含まれるＵＲＬ情報は、
商品又は役務を提供する事業者ごとに割り当てられたユニークＵＲＬ、または
商品又は役務を提供する店舗ごとに割り当てられたユニークＵＲＬ、または
店舗で提供する商品ごとに割り当てられたユニークＵＲＬ、または
店舗で提供する役務ごとに割り当てられたユニークＵＲＬ、または
で構成されている。
【００２４】
［１０］  前記ステップ(d)において、
決済仲介サーバーから受信した前記決済仲介用情報には、携帯端末のユーザが選択可能な支払い手段が複数含まれており、携帯端末がウェブブラウザ上に前記決済仲介用情報を表示する。
【００２５】
［１１］  選択可能な複数の支払い手段には、例えば、
Apple Pay、Google Pay、Alipay、銀行口座引き落とし、などが含まれる。
【００２６】
［１２］  前記ステップ(d)において、
携帯端末が、ウェブブラウザ上に、支払い手段を選択可能に表示する。
【００２７】
［１３］  前記ステップ(c)において、携帯端末が決済仲介サーバーから受信する決済仲介用情報には、少なくとも、
・商品または役務に関する説明、
・ユーザが選択可能な少なくとも１つの支払手段
が含まれる。
【００２８】
［１４］  前記ステップ(c)において、携帯端末が決済仲介サーバーから受信する決済仲介用情報には、少なくとも、
・商品または役務に関する説明、
・ユーザが選択可能な少なくとも１つの支払手段、
・支払い金額
が含まれる。
【００２９】
［１５］  前記ステップ(c)において、携帯端末が決済仲介サーバーから受信する決済仲介用情報には、少なくとも、
・商品または役務に関する説明、
・ユーザが選択可能な少なくとも１つの支払手段、
・ユーザが金額を入力可能な金額入力欄（金額入力用ボックス）
が含まれる。
【００３０】
［１６］  店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d1)  決済仲介サーバーから受信した前記決済仲介用情報に基づいて、携帯端末がウェブブラウザ上に、前記商品又は前記役務の対価として支払う金額を入力可能な金額入力欄（金額入力用ボックス）を表示するステップと、
(d2)  決済仲介サーバーから受信した前記決済仲介用情報に基づいて、携帯端末がウェブブラウザ上に、携帯端末のユーザが選択可能な少なくとも一つの支払い手段を表示するステップと、
(e1)  携帯端末が、ユーザによる金額入力欄への金額の入力を受け付けるステップと、
(e2)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による入力額の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【００３１】
［１７］  店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d1)  決済仲介サーバーから受信した前記決済仲介用情報に基づいて、携帯端末がウェブブラウザ上に、前記商品又は前記役務の対価として支払う金額を入力可能な金額入力欄（金額入力用ボックス）を表示するステップと、
(d2)  決済仲介サーバーから受信した前記決済仲介用情報に基づいて、携帯端末がウェブブラウザ上に、携帯端末のユーザが選択可能な少なくとも一つの支払い手段を表示するステップと、
(e1)  携帯端末が、ユーザによる金額入力欄への金額の入力を受け付けるステップと、
(e2)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による入力額の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【００３２】
［１８］  前記ステップ(c)において、携帯端末が決済仲介サーバーから受信する決済仲介用情報には、携帯端末のユーザが選択可能な支払い手段を表示させるための基準金額情報（仮の金額）が含まれている。
前記ステップ(d2)において、前記基準金額情報（仮の金額）に基づいて、携帯端末のユーザが選択可能な少なくとも一つの支払い手段（基準金額情報に対応した支払い手段）を表示する。
【００３３】
［１９］  前記基準金額情報（仮の金額）は、携帯端末には表示されない。
【００３４】
［２０］  前記基準金額情報（仮の金額）を携帯端末に表示するとともに、
表示された前記基準金額情報（仮の金額）の変更を促すメッセージを表示する。
【００３５】
［２１］  前記ステップ(e1)において、ユーザによる金額入力欄への支払金額の入力を受け付けると、
前記ステップ(d2)において表示した支払い手段の変わりに、
前記入力された支払金額に基づいて、携帯端末のユーザが選択可能な少なくとも一つの支払い手段（入力された支払金額に対応した専用の支払い手段）をあらたに表示する。
【００３６】
［２２］  店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d)  決済仲介サーバーから受信した前記決済仲介用情報に基づいて、携帯端末がウェブブラウザ上に、前記商品又は前記役務の対価として支払う金額を入力可能な金額入力欄（金額入力用ボックス）と、携帯端末のユーザが選択可能な少なくとも一つの支払い手段を表示するステップと、
(e1)  携帯端末が、ユーザによる金額入力欄への金額の入力を受け付けるステップと、
(e2)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による入力額の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【００３７】
［２３］  前記ステップ(d)において、
携帯端末がウェブブラウザ上に表示する
金額入力欄（金額入力用ボックス）と、
少なくとも一つの支払い手段は、
画面を遷移させることなく、同一のページ内にすべて表示される。
【００３８】
［２４］  前記ステップ(d)において、
携帯端末がウェブブラウザ上に表示する
金額入力欄（金額入力用ボックス）と、
少なくとも一つの支払い手段は、
同一の画面、または、同一のウェブページ内に、または、同一のＵＲＬのウェブページ内にすべて表示される。
【００３９】
［２５］  店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d1)  決済仲介サーバーから受信した前記決済仲介用情報に基づいて、携帯端末がウェブブラウザ上に、前記商品又は前記役務の対価として支払う金額を表示するステップと、
(d2)  決済仲介サーバーから受信した前記決済仲介用情報に基づいて、携帯端末がウェブブラウザ上に、携帯端末のユーザが選択可能な少なくとも一つの支払い手段を表示するステップと、
(e)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による代金の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【００４０】
［２６］  店舗において商品を購入し又は役務の提供を受ける際に、携帯端末を利用して代金の支払いを実行するための方法であって、
(a)  ＵＲＬ情報（ウェブサイトのアドレス情報）を含む決済用の二次元コードが商品に又は店舗内に表示されており、前記二次元コードを携帯端末が読み取るステップと、
(b)  二次元コードを読み取った携帯端末がウェブブラウザを起動させ、前記二次元コード含まれるＵＲＬ情報に基づいて決済仲介サーバー（第１のサーバー）にアクセスするステップと、
(c)  前記ＵＲＬ情報に対応するウェブページには決済仲介用情報が含まれ、携帯端末が決済仲介サーバーから、前記ウェブページに含まれる決済仲介用情報を受信するステップと、
(d)  決済仲介サーバーから受信した前記決済仲介用情報に基づいて、携帯端末がウェブブラウザ上に、前記商品又は前記役務の対価として支払う金額と、携帯端末のユーザが選択可能な少なくとも一つの支払い手段を表示するステップと、
(e)  携帯端末が、ユーザによる支払い手段の選択を受け付けるステップと、
(f)  ユーザによって選択された支払手段に対応する決済代行サーバー（第２のサーバー）に対し、携帯端末が、当該携帯端末のユーザを識別するための識別情報を送信するステップと、
(g)  携帯端末が決済代行サーバーに対し、選択された支払い手段による代金の支払いを指示するステップと、
(h)  携帯端末からの支払いの指示に基づいて、決済代行サーバーが決済サーバー（第３のサーバー）に対し、前記識別情報によって識別される個人又は法人を支払い名義とする決済処理をリクエストするステップと、
(i)  決済代行サーバーからのリクエストに基づいて、決済サーバーが決済を実行するステップと、
を含むことを特徴とする情報処理方法。
【００４１】
［２７］  前記ステップ(d)において、
携帯端末がウェブブラウザ上に表示する
支払う金額と、
少なくとも一つの支払い手段は、
画面を遷移させることなく、同一のページ内にすべて表示される。
【００４２】
［２８］  前記ステップ(d)において、
携帯端末がウェブブラウザ上に表示する
支払う金額と、
少なくとも一つの支払い手段は、
同一の画面、または、同一のウェブページ内に、または、同一のＵＲＬのウェブページ内にすべて表示される。
【図１】
2019215687.tif 000003
【図２】
2019215687.tif 000004
【図３】
2019215687.tif 000005
【図４】
2019215687.tif 000006
【図５】
2019215687.tif 000007
【図６】
2019215687.tif 000008
【図７】
2019215687.tif 000009